(57)【要約】      （修正有）【課題】ウェットティシュの包装体を収容する容器本体と、必要に応じて簡単かつ容易に，複数の機能を持たせることができる蓋付き容器を提供する。【解決手段】開閉蓋１に特定の機能を持たせるとともに，開閉蓋１を収容容器に対して着脱可能に嵌着することにより，例えば様々な機能を有する開閉蓋１を適宜交換することができるようになり，収容容器に複数の機能を持たせることができる。【選択図】図５
2012201379.tif 000002
【特許請求の範囲】
【請求項１】
開閉蓋（１）と，前記開閉蓋（１）が開閉自在に取り付けられる容器本体（２）を備えた蓋付き容器において，
前記容器本体（２）には，前記容器本体（２）内に収容されている収容物が取り出される取出口（２４）が形成されており，
前記開閉蓋（１）は，前記容器本体（２）に対して着脱自在に嵌着されるとともに，閉じた状態において前記取出口（２４）を密閉するものであり，
前記開閉蓋（１）は，閉じた状態において，前記取出口（２４）に対向する面である内面，又は前記内面とは反対側の面である外面に第１の機能を有する第１の機能部（１３）を備える
蓋付き容器。
【請求項２】
前記開閉蓋（１）は，
前記取出口（２４）に対向する面である内面に第１の機能を有する第１の機能部（１３）を備えるとともに，
前記内面とは反対側の面である外面に，前記第１の機能とは異なる第２の機能を有する第２の機能部（１４）を備える
請求項１に記載の蓋付き容器。
【請求項３】
前記第１の機能部（１３）の第１の機能は，外部を照らすための照明機能，前記容器本体（２）に収容される収容物を温めるための保温機能，前記容器本体（２）に収容される収容物を冷やすための保冷機能，時刻を表示するための時刻表示機能，又は他の収容物を収容する収容機能のうちの一つであり，
前記第２の機能部（１４）の第２の機能は，前記照明機能，前記保温機能，前記保冷機能，前記時刻表示機能，又は前記収容機能のうちの一つであって，前記第１の機能とは異なる機能である
請求項２に記載の蓋付き容器。
【請求項４】
前記容器本体（２）から前記開閉蓋（１）が取り外され，前記開閉蓋（１）に代えて換装用開閉蓋（３）が前記容器本体（２）に対して着脱自在に嵌着され，
前記換装用開閉蓋（３）は，
前記取出口（２４）に対向する面である内面に第３の機能を有する第３の機能部（３３）を備えるとともに，
前記内面とは反対側の面である外面に，前記第３の機能とは異なる第４の機能を有する第４の機能部（３４）を備える
請求項３に記載の蓋付き容器。
【請求項５】
前記第３の機能部（３３）は，前記照明機能，前記保温機能，前記保冷機能，前記時刻表示機能，又は前記収容機能のうちの一つであって，前記第１の機能及び前記第２の機能とは異なる第３の機能を有しており，
前記第４の機能部（３４）は，前記照明機能，前記保温機能，前記保冷機能，前記時刻表示機能，又は前記収容機能のうちの一つであって，前記第１の機能，前記第２の機能，及び前記第３の機能とは異なる第４の機能を有している
請求項４に記載の蓋付き容器。
【発明の詳細な説明】
【技術分野】
【０００１】
本発明は，例えばウェットティシュの包装体を収容する容器本体と，容器本体に対して開閉自在に取り付けられた開閉蓋を備える蓋付き容器に関する。
【背景技術】
【０００２】
ウェットティシュの包装体のような収容物を収容する容器には，容器本体の上部に収容物の取出口が設けられ，この取出し口を開閉するための開閉蓋が取り付けられている。そして，開閉蓋を開くことにより，容器本体の取出口から，ウェットティシュを取り出すことができるようになっている（特許文献１）。
【０００３】
また，このような容器においては，単にウェットティシュ等の包装体を収容するだけでなく，容器の内側に使い捨て懐炉が出し入れできるようになっており，必要に応じて，使い捨て懐炉の蓄熱によってウェットティシュを温めることができる保温機能を有する容器も提案されている（特許文献２）。
【先行技術文献】
【特許文献】
【０００４】
【特許文献１】特開２０１０−１１６１９９号公報
【特許文献２】特開２００１−１９０４４３号公報
【発明の概要】
【発明が解決しようとする課題】
【０００５】
しかしながら，このような収容容器においては，例えばウェットティシュを温めるという機能以外にも様々なニーズがある。例えば，暗所において容器からウェットティシュを取り出して使用する場合，取出し口付近が照光されれば，手元が明るくなり大変便利である。
【０００６】
また，収容容器やその収容物は，様々な用途や環境で使用されることが想定されるため，使用される用途や環境に応じて，容器に最適な機能を持たせたいというニーズもある。
【０００７】
このように，現在では，必要に応じて，簡単かつ容易に，複数の機能を持たせることができる収容容器が求められている。
【課題を解決するための手段】
【０００８】
そこで，本発明の発明者は，上記の従来発明の問題点を解決する手段について鋭意検討した結果，開閉蓋に特定の機能を持たせるとともに，開閉蓋を収容容器に対して着脱可能に嵌着することにより，例えば様々な機能を有する開閉蓋を適宜交換することができるようになり，収容容器に複数の機能を持たせることができるという知見を得た。そして，本発明者は，上記知見に基づけば，従来技術の課題を解決できることに想到し，本発明を完成させた。
具体的に本発明は，以下の構成を有する。
【０００９】
本発明は，開閉蓋１と，収容物を収容し開閉蓋１が開閉自在に取り付けられる容器本体２を備えた蓋付き容器１００に関する。
そして，容器本体２には，容器本体２内に収容されている収容物が取り出される取出口２４が形成されている。開閉蓋１は，容器本体２に対して着脱自在に嵌着されるとともに，閉じた状態において取出口２４を密閉するものである。また，開閉蓋１は，開閉蓋１が閉じた状態において，取出口２４に対向する面である内面，又は内面とは反対側の面である外面に第１の機能を有する第１の機能部１３を備える。
【００１０】
また，本発明においては，開閉蓋１は，取出口２４に対向する面である内面に第１の機能を有する第１の機能部１３を備えるとともに，開閉蓋１の内面とは反対側の面である外面に，第１の機能とは異なる第２の機能を有する第２の機能部１４を備えることとしてもよい。
【００１１】
第１の機能部１３は，例えば，外部を照らすための照明機能，容器本体２に収容される収容物を温めるための保温機能，容器本体２に収容される収容物を冷やすための保冷機能，時刻を表示するための時刻表示機能，又は他の収容物を収容する収容機能を有している。また，第２の機能部１４は，例えば，照明機能，保温機能，保冷機能，時刻表示機能，又は収容機能のうちの一つであって，第１の機能とは異なる機能を有していることとしてもよい。
【００１２】
このように，開閉蓋１の内面若しくは外面，又はその両方に，特定の機能が設けられていることにより，容器やその収容物は使用される用途や環境に応じた最適な機能を持たせることができる。
【００１３】
また，容器本体２から開閉蓋１が取り外され，開閉蓋１に代えて，換装用開閉蓋３が容器本体２に対して着脱自在に嵌着され，換装用開閉蓋３は，換装用開閉蓋３が閉じた状態において，取出口２４に対向する面である内面に第３の機能を有する第３の機能部３３を備えるとともに，内面とは反対側の面である外面に，第３の機能とは異なる第４の機能を有する第４の機能部３４を備えることとしてもよい。本発明においては，容器本体２から開閉蓋１が取り外され，換装用開閉蓋３に交換されることを想定し，容器本体２と開閉蓋１，及び容器本体２と換装用開閉蓋３は，着脱可能に嵌着されている。
【００１４】
この場合には，換装用開閉蓋３は，取出口２４に対向する面である内面に第３の機能を有する第３の機能部３３を備え，内面とは反対側の面である外面に，第３の機能とは異なる第３の機能を有する第４の機能部３４を備えることが好ましい。
【００１５】
また，換装用開閉蓋３における第３の機能部３３の第３の機能は，例えば，照明機能，保温機能，保冷機能，時刻表示機能，又は収容機能であって，開閉蓋１の第１の機能及び第２の機能とは異なる機能であることが好ましい。
さらに，換装用開閉蓋３における第４の機能部３４の第４の機能部３４は，例えば，照明機能，保温機能，保冷機能，時刻表示機能，又は収容機能のうちの一つであって，開閉蓋１の第１の機能と前記第２の機能，及び換装用開閉蓋３における第３の機能とは異なる機能を有していることが好ましい。
【００１６】
このように，本発明にかかる蓋付き容器１００は，容器本体２に取り付けられている開閉１を，換装用開閉蓋３に取り換えることができる。また，容器本体２に取り付け可能な開閉蓋１と換装用開閉蓋３に設けられている機能は，それぞれ異なるものであるため，蓋付き容器１００に対して，簡単かつ容易に，複数の機能を持たせることができる。
【図面の簡単な説明】
【００１７】
【図１】図１は，本発明の実施形態に係る蓋付き容器の外観の例を示す斜視図である。図１（ａ）は開閉蓋が取り外された状態を示し，図１（ｂ）は取り付けられた開閉蓋が開いた状態を示しており，図１（ｃ）は取り付けられた開閉蓋が閉じた状態を示している。
【図２】図２は，開閉蓋が容器本体に着脱される着脱機構の例を概念的に示した概略図であり，特に，開閉蓋が容器本体から取り外された状態を示している。
【図３】図３は，開閉蓋が容器本体に着脱される着脱機構の例を概念的に示した概略図であり，特に，開閉蓋が容器本体に取り付けられた状態を示している。
【図４】図４は，開閉蓋が容器本体に着脱される着脱機構の例を概念的に示した概略図であり，特に，開閉蓋が容器本体から取り外される経過の状態を示している。
【図５】図５は，本発明の好ましい形態を示しており，蓋付き容器の外観の例を示す斜視図である。図５（ａ）は取り付けられた開閉蓋が開いた状態を示しており，図５（ｂ）は取り付けられた開閉蓋が閉じた状態を示している。
【図６】図６は，本発明の好ましい形態を示しており，蓋付き容器の外観の例を示す斜視図である。図６（ａ）は取り付けられた開閉蓋が開いた状態を示しており，図６（ｂ）は取り付けられた開閉蓋が閉じた状態を示している。
【図７】図７は，本発明の好ましい形態を示す斜視図であり，開閉蓋が換装用開閉蓋に取り換えられる様子を示している。
【図８】図８は，本発明の実施形態に係る蓋付き容器の外観の例を示す斜視図である。図８（ａ）は開閉蓋が取り外された状態を示し，図８（ｂ）は取り付けられた開閉蓋が開いた状態を示しており，図８（ｃ）は取り付けられた開閉蓋が閉じた状態を示している。
【発明を実施するための形態】
【００１８】
以下，図面を用いて本発明を実施するための形態について説明する。本発明は，以下に説明する形態に限定されるものではなく，以下の形態から当業者が自明な範囲で適宜修正したものも含む。例えば，以下の説明においては，主に，ウェットティシュが包装された包装体を収容する蓋付き容器について説明するが，本発明に係る蓋付き容器の収容物はこれに限定されるものではなく，容器に収容され使用に際して取り出されるあらゆる収容物が含まれる。
【００１９】
図１は，本発明の実施形態に係る蓋付き容器１００の外観の例を示す斜視図である。また，図１（ａ）は開閉蓋１が取り外された状態を示し，図１（ｂ）は開閉蓋１が取り付けられ開閉蓋１が開いた状態を示しており，図１（ｃ）は開閉蓋１が閉じた状態を示している。実施形態に係る蓋付き容器１００は，図１に示されるように，開閉蓋１と，容器本体２とを基本構成としている。開閉蓋１と容器本体２は，例えば樹脂の成形品にて形成されている。また，蓋付き容器１００は，着脱機構を備えており，開閉蓋１が，容器本体２に対して着脱自在となっている。
【００２０】
開閉蓋１は，蓋本体１５の一端部に，容器本体２と連結するための連結部１０が形成されている。図１に示す例において，連結部１０は，平板状で略矩形状に形成された蓋本体１５の長辺の一方に形成され，その左右の両端には突起部が突設されている。
【００２１】
一方，容器本体２は，図１に示されるように，例えば収容物としてのウェットティシュの包装体が載置されるトレー部２５と，収容物を覆うようにトレー２５に取り付けられるカバー部２６を有している。例えば，トレー部２５には，収容物が載置される側の面である上面の外周全体にわたって溝が形成されており，トレー部２５の溝に，カバー部２６の下端が差し込まれることにより，トレー部２５とカバー部２６とが係合するようになっている。
【００２２】
また，容器本体２のカバー部２６は，開閉蓋１が取り付けられる側の面である上面の中頃が容器本体２の内方に窪んでおり，この窪みによって，開閉蓋１を連結するための連結凹部２０と，開閉蓋１の蓋本体１５が収納される蓋収納凹部２７が形成されている。連結凹部２０は，開閉蓋１の連結部１０の突起部が嵌り込む位置に，孔部が形成されており，この連結部凹部２０の孔部と，連結部１０の突起部によって，着脱機構を形成する。着脱機構については，後述する。また，蓋収納凹部２７は，開閉蓋１が閉じた状態において，開閉蓋１との間に隙間が生じないように，開閉蓋１と略同一の形状に窪んでいることが好ましい。
【００２３】
容器本体２のカバー部２６の上面に形成された蓋収納凹部２７には，その中央に，例えばウェットティシュを取り出すための取出口２４が形成されている。取出口２４は，カバー部２６を貫通して形成されており，取出口２４を通して，カバー部２６によって覆われている収容物を取り出すことができる。図１に示す例においては，取出口２４は，カバー部２６の長手方向に延びたひょうたん型に形成されている。取出口２４の形状は，例えば，正円形，楕円形，正方形，長方形，星型，砂時計型，その他多角形としてもよい。開閉蓋１が閉じられると，取出口２４が塞がれ，取出口２４が密閉される。このため，容器本体２内の気密性を保つことができ，容器本体２内にウェットティシュ等の湿潤した収容物が配されている場合でも，その乾燥を防ぐことができる。
【００２４】
また，開閉蓋１と容器本体２には，開閉蓋１が閉じたロック状態を維持し，必要な場合に，ロック状態を解除するためのロック機構が設けられていてもよい。ロック機構は，例えば，開閉蓋１の連結部１０とは他端の端部に設けられた係止爪部１６と，開閉蓋１が閉じられた状態において係止爪部１６の位置と対応する容器本体２の位置に設けられた解除レバー２８から形成される。解除レバー２８には，係止孔部が形成されており，開閉蓋１が閉じられると，係止孔部に係止爪部１６が係合されるようになっている。そして，解除レバー２８を下方へ押し下げると，係止爪部１６と係止孔部の係合状態が解除される。
【００２５】
また，図１（ａ）から図１（ｃ）に示されているように，容器本体２の上面に板ゴム２９の一端を取り付け，開閉蓋１の内面の下端部に板ゴム２９の他端を差込み収納するための収納部１７を設けることとしてもよい。開閉蓋１の収納部１７には，開閉蓋１を容器本体２に嵌着するに際して，板ゴム２９が差し込み収納される。開閉蓋１が容器本体２に取り付けられ，開閉蓋１が閉じた状態になると，板ゴム２９は湾曲する。そして，上述した解除レバー２８が下方へ押し下げられ，係止爪部１６と係止孔部の係合状態が解除されと，湾曲していた板ゴム２９は復元し，開閉蓋１を開く方向に向って付勢する。このような板ゴム２９の付勢力を利用して，開閉蓋１が開かれることしてもよい。板ゴム２９とは，例えばシリコンゴムで形成すればよい。
【００２６】
図２から図４は，開閉蓋１が容器本体２に着脱される着脱機構の例を概念的に示した概略図である。図２は，開閉蓋１が容器本体２から取り外された状態を示し，図３は，開閉蓋１が容器本体２に取り付けられた状態を示しており，図４は，開閉蓋１が容器本体２から取り外される経過の状態を示している。なお，図２から図４においては，着脱機構の構造を分り易く示すために，容器本体２については，開口蓋１の連結部１０が連結される連結凹部２０のみを概念的に抽出して描画している。このため，後述する支持切欠部２１，ガイド孔２２，及びガイド切欠部２３は，図２から図４において容器本体２の連結凹部２０の側壁を貫通するように描画されているが，これらは連結凹部２０の側壁を貫通しない溝として形成されていることが好ましい。
【００２７】
図２に示されるように，開口蓋１の一端には連結部１０が形成されており，この連結部１０の左右両端側の側面からは，容器本体２側に向かって突起する一対の軸突起部１１が突設されている。一対の軸突起部１１は，連結部１０の左右両端側に一直線上に存在しており，相互に逆向きに突設している。一対の軸突起部１１が存在する一直線は，開口蓋１が容器本体２に対する開閉動作する際の回転軸となる。また，一対の軸突起部１１のそれぞれは，円形の上面と周側面が形成された略円柱形状である。
【００２８】
また，図２に示されるように，連結部１０の左右両端側の側面からは，軸突起部１１が突設した位置から所定距離ずれた位置に，容器本体２側に向かって突起する一対のガイド突起部１２が突設されている。一対のガイド突起部１２も，連結部１０の左右両端側に一直線上に存在しており，相互に逆向きに突設している。ガイド突起部１２は，例えば，開閉蓋１の連結部１０が形成された一端とは反対の他端の方向（図２中上方向）に向かって，０．５ｍｍ〜２ｍｍ，又は１ｍｍ〜１．５ｍｍずれた位置に形成されている。また，一対のガイド突起部１２のそれぞれは，点である頂点と頂点から外方に膨らんで円弧状に湾曲している側面を有する略半球形（ドーム形）であることが好ましい。また，略半球形に形成されたガイド突起部１２の底面から頂点までの高さは，軸突起部１１の天面から上面までの高さと，同一又は略同一であることとしてもよいし，軸突起部１１の天面から上面までの高さより高いものであってもよい。
【００２９】
一方，図２に示されるように，容器本体２には，開閉蓋１の連結部１０が嵌め込まれる連結凹部２０が形成されている。連結凹部２０は，開閉蓋１の連結部１０と略同一の長さで形成されている。連結凹部２０の左右の側壁には，一部が開放された切り欠きとして，一対の支持切欠部２１が形成されている。一対の支持切欠部２１には，それぞれ，開閉蓋１の連結部１０に突設された軸突起部１１が差し込まれ，軸突起部１１が回転できるように支持する。支持切欠部２１は，閉鎖された側の一端に，支持突起部１１の周側面が当接することにより支持突起部１１を支えるため，支持切欠部２１の閉鎖された一端側は，支持突起部１１の周側面に合せて円弧状となっている。また，支持切欠部２１の溝幅寸法は，略円柱形である軸突起部１１の直径寸法と略同一となっていることが好ましい。また，支持切欠部２１の開放された一端側は，溝幅が幅広となっていることが好ましい。例えば，支持切欠部２１の開放された一端側は，略円柱形である軸突起部１１の直径よりも広くなっていることが好ましい。これにより，軸突起部１１が支持切欠部２１に容易に差し込まれるとともに軸突起部１１が支持切欠部２１から容易に抜き出されるようになっている。
【００３０】
また，支持切欠部２１に軸突起部１１が支持された状態で開閉蓋１が開閉する際に，開閉蓋１の連結部１０に突設された一対のガイド突起部１２が回動する軌道に対応する位置には，閉鎖された孔部である一対のガイド孔２２が形成されている。従って，ガイド孔２２は，図２に示されるように，支持切欠部２１の周縁に沿って湾曲した形状に形成されている。ガイド孔２２は，全周囲が閉じられており，容器本体２の底面側が下端となり，容器本体２の上面側が上端となる。ガイド孔２２は，後述するように，開閉蓋１の開閉範囲を規定する機能（特に，開閉蓋１の最大開閉可能角度を規定する機能）を有する。ガイド孔２２の下端は，開閉蓋１を最大で閉じることができる角度を規定しており，開閉蓋１が容器本体２に対して閉じた状態の角度が，０度となることが好ましい。また，ガイド孔２２の上端は，開閉蓋１を最大で開くことができる角度を規定している。開閉蓋１を最大で開くことができる角度は，例えば，５０度〜１５０度，６０度〜１４０度，７０度〜１３０度，好ましくは，９０度〜１１０度であることが好ましい。このように，ガイド孔２２については，開閉蓋１の最大開閉可能角度が上述した範囲内となるよう，下端から上端までの長さを調整することが好ましい。また，ガイド孔２２の溝幅寸法は，開閉蓋１の連結部１０に突設されたガイド突起部１２の直径寸法と略同一であることが好ましい。
【００３１】
また，ガイド孔２２から，支持切欠部２１の開放端方向に向かう延長線上には，一部が開放された切り欠きである一対のガイド切欠部２３が形成されている。ガイド切欠部２３は，開閉蓋１が取り付けられるに際して，開閉蓋１の連結部１０に突設された一対のガイド突起部１２の導入口となり，一方，開閉蓋１が取り外されるに際して，ガイド突起部１２の導出口となる。図２に示されるように，ガイド切欠部２３は，支持切欠部２１の上方に形成されており，また，切り欠きの長さが，支持切欠部２１よりも短くなっている。図２に示す例において，ガイド切欠部２３は，ガイド孔２２の一端部に向かって，支持切欠部２１の切欠部と平行な略一直線上に形成された切り欠きとなっている。そして，軸突起部１１が支持切欠部２１に差し込まれると同時に，ガイド突起部１２がガイド切欠部２３に差し込まれ，軸突起部１１が支持切欠部２１から抜き出されると同時に，ガイド突起部１２がガイド切欠部２３に抜き出されるようになっている。ただし，ガイド切欠部２３は，支持切欠部２１に軸突起部１１が支持された状態で開閉蓋１が開閉する際に，開閉蓋１の連結部１０に突設された一対のガイド突起部１２が回動する軌道に沿って湾曲した形状となっていてもよい。また，ガイド切欠部２３の溝幅寸法は，開閉蓋１の連結部１０に突設されたガイド突起部１２の直径寸法と略同一となっていることが好ましい。
【００３２】
このように，蓋付き容器１００における開閉蓋１の着脱機構は，基本的には，軸突起部１１，ガイド突起部１２，支持切欠部２１，ガイド孔２２，及びガイド切欠部２３によって構成される。
【００３３】
次に，図２から図４を用いて，開閉蓋１の着脱動作について説明する。
開閉蓋１は，図２に示す取り外された状態から，図２中の破線で示した矢印に従って，軸突起部１１とガイド突起部１２を，それぞれ，支持切欠部２１とガイド切欠部２３に差し込む。すると，軸突起部１１は，支持切欠部２１の閉鎖された端部に当接し，これと同時に支持切欠部２１によって回転可能に支持される。また，ガイド突起部１２も，ガイド切欠部２３の閉鎖された端部に当接する。ここで，軸突起部１１が支持切欠部２１の閉鎖された端部に当接した状態で，軸突起部１１を軸として，開閉蓋１を閉じる方向に圧力を加えて回動すると，容器本体２の連結凹部２０の側壁（特に，ガイド切欠部２３とガイド孔２２の間の部分）が弾性変形し，ガイド突起部１２が，ガイド切欠部２３からガイド孔２２に移行して嵌合する。
【００３４】
図３は，ガイド突起部１２がガイド孔２２に嵌合した状態であり，この状態では，軸突起部１１が支持切欠部２１からの抜き出しも阻止される。すなわち，開閉蓋１が容器本体２に取り付けられた状態を示している。この状態において，開閉蓋１は，一対の支持切欠部２１に差し込まれた一対の軸突起部１１を軸として，容器本体２に対して開閉自在となっている。また，開閉蓋１が開閉するに際し，ガイド突起部１２は，ガイド孔２２内をスライドする。ガイド孔２２は，開閉蓋１の開閉範囲を規定する機能（特に，開閉蓋１の最大開閉可能角度を規定する機能）を有している。つまり，ガイド突起部１２がスライドできる範囲は，ガイド孔２２によって規定されており，開閉蓋１は，ガイド突起部１２がガイド孔２２の下端から上端までスライド可能な範囲内において，開閉できるようになっている。また，開閉蓋１のガイド突起部１２が，容器本体２のガイド孔２２に嵌合されているため，比較的大きな外力を加えない限り，開閉蓋１が容器本体２から脱落しないようになっている。
【００３５】
図４は，開閉蓋１が，ガイド孔２２が規定する最大開閉可能範囲を越えて，開かれた状態であり，ガイド突起部１２がガイド孔２２の上端からガイド切欠部２３へ移行した状態を示している。つまり，図３に示す状態から，さらに開閉蓋１を開く方向に圧力を加えると，容器本体２の連結凹部２０の側壁（特に，ガイド切欠部２３とガイド孔２２の間の部分）が弾性変形し，ガイド突起部１２がガイド孔２２の上端からガイド切欠部２３へ移行する。ガイド突起部１２がガイド孔２２からガイド切欠部２３へ移行すると，ガイド突起部１２がガイド孔２２から抜き出し可能となるとともに，軸突起部１１が支持切欠部２１から抜き出し可能となる。そして，ガイド突起部１２及び軸突起部１１がガイド孔２２及び支持切欠部２１から抜き出される方向に開閉蓋１を引き出せば，ガイド突起部１２及び軸突起部１１がガイド孔２２及び支持切欠部２１から離脱して開閉蓋１が容器本体２から取り外れるようになっている。このように，本発明に係る蓋付き容器１００では，開閉蓋１が，容器本体２から，簡単かつ容易に脱着できるようになっている。
【００３６】
本発明において，開閉蓋１は，内面又は外面に，第１の機能を有する第１の機能部１３を備えている。ここで，開閉蓋１の内面とは，開閉蓋１が容器本体２に取り付けられ，開閉蓋１が閉じた状態において，容器本体２の取出口２４に対向する面である。また，開閉蓋１の外面とは，内面とは反対側の面であり，開閉蓋１が容器本体２に取り付けられ，開閉蓋１が閉じた状態において，蓋付き容器１００の上面にあたる面を意味する。
【００３７】
また，開閉蓋１には，その内面に，第１の機能を有する第１の機能部１３を備え，その外面に第２の機能を有する第２の機能部１４を備えることとしてもよい。ここで，第１の機能と第２の機能は同一の機能であってもよいが，異なる機能であることが好ましい。ここにいう，機能とは，例えば，外部を照らすための照明機能，容器本体２に収容される収容物を温めるための保温機能，容器本体２に収容される収容物を冷やすための保冷機能，時刻を表示するための時刻表示機能，又は他の収容物を収容する収容機能が考えられる。
【００３８】
図５（ａ）には，第１の機能として照明機能を有する第１の機能部１３が，開閉蓋１の内面に形成された例を示している。照明機能は，外部を照らすための機能である。図５に示す例においては，照明機能を有する第１の機能部１３が，開閉蓋１の内面に形成されているため，第１の機能部１３によって，容器本体２の上面に形成された取出口２４を照らすことができる。照明機能を有する第１の機能部１３は，例えば発光ダイオード（ＬＥＤ）のような発光部材が，開閉蓋１の内部に備え付けられることにより形成されている。
【００３９】
また，発光部材が発光する際に電力を要する場合には，例えば，電池等の電源と，電源から発光部材に電力を供給すするための導線も併せて開閉蓋１の内部に備え付けることとしてもよいし，容器本体２に電源を備え，導電性材料や導線を介して開閉蓋１の発光部材に電力を供給することとしてもよい。容器本体２が電源を備える場合には，容器本体２と開閉蓋１との連結部を介して開閉蓋１の発光部材に電力を供給することが好ましい。例えば，容器本体２の連結凹部２０の側壁及び軸突起部１１に接続端子をインサート成形する等して容器本体２への開閉蓋１の嵌着部を介して開閉蓋１の発光部材に電力を供給するようにしてもよい。また，容器本体２に取り付けられた板ゴム２９を導電性材料で形成したり，板ゴム２９内に導線を配したりすることにより，開閉蓋１が嵌着される際，板ゴム２９が開閉蓋１の収納部１７に差し込み収納されることを利用して，開閉蓋１の発光部材に電力を供給するようにしてもよい。
【００４０】
また，開閉蓋１が開かれたことを契機として，発光部材が発光することとしてもよい。例えば，開閉蓋１の係止爪部１６が，容器本体２の解除レバー２８に形成された係止孔部に係合された状態のときに，発光部材に電力を供給するための回路を切断する回路切断手段が設けられており，解除レバー２８が押下され，係止爪部１６が係止孔部から開放されたときに，再び回路が接続され，発光部材に電力が供給されることにより，発光部材を発光させることとすればよい。
【００４１】
その他，照明機能としては公知の構成を採用することができる。例えば，発光部材として，蓄光が可能な蛍光塗料を採用することもでき，開閉蓋１に蛍光塗料を塗布することにより暗所において発光させることとしてもよい。
【００４２】
図５（ｂ）は，第２の機能として時刻表示機能を有する第２の機能部１４が，開閉蓋１の外面に形成された例を示している。図５（ｂ）に示す例では，時刻表示機能を有する第２の機能部１４は，デジタル時計である。時刻表示機能は，その他，例えばアナログ時計を採用することとしてもよい。時刻表示機能を有する第２の機能部１４が，電力を要する場合，例えば，開閉蓋１の内面に備えられた照明機能を有する第１の機能部１３の発光部材に対して電力を供給している電源を利用することとしてもよい。このように，照明機能を有する第１の機能部１３と時刻表示機能を有する第２の機能部１４を，開閉蓋１の内面と外面のそれぞれに形成することにより，電源を統一することが可能である。
【００４３】
このように，蓋付き容器１００の開閉蓋１の内面に照明機能を有する第１の機能部１３を設けることにより，例えば，夜間のような暗所で幼児の肌を拭く必要が生じた場合において，開閉蓋１を開くと取出口２４が照らされるため，容器に収容されているウェットティシュを取り出し易くなるといった利便性があり，暗所におけるおむつ交換の負担を大幅に軽減することができる。また，開閉蓋１の外面に時刻が表示されるため，おむつの交換に際して，時間を確認することもでき，幼児の睡眠時間を確認して作るミルクの量を勘案したり，次のおむつ替え（授乳時間）の目安を知るための情報を得たりすることができる。
【００４４】
図６（ａ）は，第１の機能として保温機能を有する第１の機能部１３が，開閉蓋１の内面に形成された例を示している。保温機能を有する第１の機能部１３は，例えば，使い捨て懐炉１３ａと，使い捨て懐炉１３ａを開閉蓋１の内面に保持するメッシュシート１３ｂと，メッシュシート１３ｂの四隅を開閉蓋１の内面に固定する固定手段１３ｃ（例えば，ビスやネジ）を含む。使い捨て懐炉１３ａは，メッシュシート１３の四辺のいずれからでも出し入れすることができるようになっている。メッシュシートは，例えば，伸縮可能な弾性伸縮部材によって形成されており，伸長状態のまま固定手段１３ｃによって四隅が開閉蓋１の内面に固定され，収縮力を利用して，使い捨て懐炉１３ａを開閉蓋１の内面に保持する。使い捨て懐炉１３ａとしては公知のものを採用することができる。
【００４５】
図６（ａ）に示す例においては，使い捨て懐炉１３ａの代わりに，保冷剤を用いることとしてもよい。つまり，開閉蓋１の内面には，第１の機能として保冷機能を有する第１の機能部１３が形成される。保冷剤としては公知のものを採用することができる。
【００４６】
このように，開閉蓋１の内面に保温機能又は保冷機能を有する第１の機能部１３を設けることにより，例えば，蓋付き容器１００に収容されているウェットティシュの温度を，使用する環境や用途に応じて，適切な温度に保つことが可能である。
【００４７】
図６（ｂ）に示す例においては，第２の機能として収容機能を有する第２の機能部１４が，開閉蓋１の外面に形成された例を示している。収容機能を有する第２の機能部１４は，例えば，収容物を収容する収容部１４ａと，収容物を取り出すための開口部１４ｂと，開口部１４ｂを開閉する蓋部１４ｃを含む。収容機能を有する第２の機能部１４に収容される収容物としては，例えば，ウェットティシュや，ポケットティシュであってもよいし，その他，錠剤やカプセル剤であってもよい。図６（ｂ）に示されるように，収容機能を有する第２の機能部１４が，開閉蓋１の外面に形成された場合，蓋付き容器１００の開閉蓋１と，第２の機能部１４の蓋部１４ｃとで，２重蓋となる。また，開閉蓋１を，中空構造とし，その内部に収容部を収容する収容部１４ａを形成することとしてもよい。
【００４８】
図６に示されるように，開閉蓋１の内面に保冷機能又は保温機能を有する第１の機能部１３を形成し，開閉蓋１の外部に収容機能を有する第２の機能部１４を形成することにより，第１の機能部１３による保温・保冷効果により，容器本体２に収容される収容物だけでなく，第２の機能部１４に収容される収容物をも保温・保冷することができる。
【００４９】
図７は，本発明のさらに好ましい形態を示しており，特定の機能が付与された開閉蓋１が取り外され，別の機能が付与された換装用開閉蓋３と取換え可能とした例を示している。図１に示されるように，開閉蓋１の内面には，第１の機能として照明機能を有する第１の機能部１３が形成されている。また，開閉蓋１の外面には，例えば，第２の機能として時刻表示機能を有する第２の機能部１４が形成されていても良い。そして，開閉蓋１と取り換えられる換装用開閉蓋３の内面には，第３の機能として保温機能（又は保冷機能）を有する第３の機能部３３が形成されている。また，換装用開閉蓋３の外面には，第３の機能と異なる第４の機能，例えば，収容機能を有する第４の機能部３４が形成されていてもよい。
【００５０】
ここで，開閉蓋１の下端に形成された連結部１０と換装用開閉蓋３の下端に形成された換装用連結部３０は，同一の形状である。すなわち，換装用開閉蓋３の換装用連結部３０には，開閉蓋１の連結部１０に軸突起部１１とガイド突起部１２が突設された位置と同じ位置に，換装用軸突起部３１と，換装用ガイド突起部３２が突設している。これにより，換装用開閉蓋３は，開閉蓋１に代えて，容器本体２に着脱することが可能となっている。
【００５１】
以上のとおり，本発明の実施形態においては，上述した構成を有しているが，上述した構成から当業者が自明な範囲で適宜修正することができる。例えば，第１の機能部１３，第２の機能部１４，第３の機能部３３，及び第４の機能部３４のそれぞれには，上述した例以外にも，例えば，照明機能，保温機能，保冷機能，時刻表示機能，又は収容機能から適宜選択した機能を持たせることができる。また，第１の機能部１３，第２の機能部１４，第３の機能部３３，及び第４の機能部３４が有する機能は，照明機能，保温機能，保冷機能，時刻表示機能，又は収容機能に限られるものではない。例えば，開閉蓋１若しくは換装用開閉蓋３の内面又は外面に，消臭剤や芳香剤を収納保持し，開閉蓋１に消臭機能や芳香機能を持たせることとしてもよい。
【００５２】
また，開閉蓋１又は換装用開閉蓋３を容器本体２に対して着脱可能に嵌着する着脱機構は，上記機構に限らず，種々の機構を適用可能である。例えば，図８には，上記機構とは異なる着脱機構を有する蓋付き容器の例が示されている。具体的に説明すると，図８（ａ）に示されるように，開閉蓋１（又は換装用開閉蓋３）には，開閉蓋１の下端に設けられたヒンジ５１を介して，連結片５２が回動可能に連結されている。また，容器本体２の上面には，開閉蓋１の連結片５２の長さ，幅，及び厚みに対応した係合孔５３が形成されている。ここで，図８（ｂ）に示されているように，開閉蓋１に設けられた連結片５２を，容器本体２の係合孔５３に差し込むことにより，開閉蓋１は容器本体２に着脱可能に嵌着される。また，開閉蓋１に設けられた連結片５２はヒンジ５１を基軸として回動可能であるため，図８（ｃ）に示されるように，開閉蓋１は，容器本体２に対して開閉自在となっている。なお，容器本体２に電源を設けるとともに，連結片５２に接続端子をインサート成形する等して設ければ，この場合にも容器本体２への開閉蓋１の嵌着部を介して開閉蓋１の発光部材に電力を供給することができる。
【００５３】
また，例えば，上述したヒンジ５１と連結片５２に代えて，平板状の弾性部材を開閉蓋１の下端側に連結し，この平板状の弾性部材を，容器本体２に形成された係合孔５３に差し込むことにより，開閉蓋１を容器本体２に着脱可能に嵌着することとしてもよい。これにより，係合孔５３に差し込まれた弾性部材は，開閉蓋１を閉じた状態において湾曲し，開閉蓋１を開くに際して，弾性部材が開閉蓋１に対し開く方向への付勢力を与えるため，開閉蓋１を開きやすくなる。
また，平板状の弾性部材は，容器本体２が備えるものであってもよい。この場合には，開閉蓋１に平板状の弾性部材の長さ，幅，及び厚みに対応した係合孔を形成し，開閉蓋１に設けられた係合孔に，容器本体２に取り付けられた弾性部材を差し込むことにより，開閉蓋１を容器本体２に対して着脱可能に嵌着することとすればよい。
【符号の説明】
【００５４】
１      開閉蓋
２      容器本体
３      換装用開閉蓋
１０    連結部
１１    軸突起部
１２    ガイド突起部
１３    第１の機能部
１４    第２の機能部
１５    蓋本体
１６    係止爪部
１７    収納部
２０    連結凹部
２１    支持切欠部
２２    ガイド孔
２３    ガイド切欠部
２４    取出口
２５    トレー部
２６    カバー部
２７    蓋収納凹部
２８    解除レバー
２９    板ゴム
３０    換装用連結部
３１    換装用軸突起部
３２    換装用ガイド突起部
３３    第３の機能部
３４    第４の機能部
５１    ヒンジ
５２    連結片
５３    係合孔
１００  蓋付き容器
【図１】
2012201379.tif 000003
【図２】
2012201379.tif 000004
【図３】
2012201379.tif 000005
【図４】
2012201379.tif 000006
【図５】
2012201379.tif 000007
【図６】
2012201379.tif 000008
【図７】
2012201379.tif 000009
【図８】
2012201379.tif 000010